(57)【特許請求の範囲】
【請求項１】
長さ方向，幅方向，前胴周域，後胴周域およびそれら胴周域間に介在する股下域を備える可撓性シャーシと、このシャーシの内面に配置された半剛性吸収体とを含む使い捨て着用物品において、
前記シャーシが、最外層および最内層を有するとともに、前記最外層を構成するバックシートと、前記最内層を構成するライナとを含み、
前記ライナが、前記幅方向における前記股下域のほぼ中央域で該方向へ延びる固定部で前記吸収体に固定されており、前記固定部より前記後胴周域寄りに形成された便を通過させることが可能な通路と、前記通路の周縁に沿って伸縮可能な状態で配置された第１弾性部材と、前記通路の前記幅方向の両側に配置されて前記通路の近傍で前記長さ方向に伸縮可能な一対の第２および第３弾性部材とを備え、前記第２および第３弾性部材のそれぞれは、前記通路の前記幅方向の外側において前記長さ方向に延びる直線部分と、前記通路の前端部分および後端部分の前記幅方向の外側において前記直線部分の前端部分および後端部分のそれぞれから前記通路に対して外方へ離間する態様で延びる延長部分とを有し、
前記第２および第３弾性部材の前記直線部分が収縮した状態にあるとき、前記ライナが、前記固定部より前記後胴周域寄りにおいて前記吸収体から離れるように持ち上がるとともに、前記固定部に沿って立ち上がる障壁を形成することを特徴とする前記物品。
【請求項２】
前記第２および第３弾性部材が、少なくとも前記通路の最前縁まで伸縮可能な状態で長さ方向前方へ延びている請求項１記載の着用物品。
【請求項３】
前記第２および第３弾性部材が、少なくとも前記固定部まで伸縮可能な状態で長さ方向前方へ延びている請求項１に記載の着用物品。
【請求項４】
前記ライナは、前記第２および第３弾性部材のそれぞれの延長部分の端部どうしを連結するように前記長さ方向に延びる第４および第５弾性部材を備えている請求項１〜３のいずれかに記載の着用物品。
【請求項５】
前記ライナが、前記シャーシのほぼ前半域に位置する第１ライナと、前記シャーシのほぼ後半域に位置する第２ライナとから構成されている請求項１〜４のいずれかに記載の着用物品。
【請求項６】
前記第２ライナが液抵抗性を有する請求項５記載の着用物品。
【請求項７】
前記第１ライナの可撓性が、前記第２ライナのそれよりも低い請求項１〜６のいずれかに記載の着用物品。
【請求項８】
前記長さ方向に延びる一対のバリヤカフが前記シャーシの両側縁部に配置されている請求項１〜７のいずれかに記載の着用物品。
【発明の詳細な説明】
【技術分野】
【０００１】
この発明は、使い捨て着用物品に関し、さらに詳しくは、排泄物が着用者の身体に付着することを防止する使い捨て着用物品に関する。
【背景技術】
【０００２】
従来、表シートの股区域において、前部に向かって片寄った位置に開口を設け、さらに、縦方向に延びる弾性バンドを取り付けた使い捨ておむつは周知である（特許文献１参照）。また、ライナの長手方向の後部に向かって片寄った位置に開口を設け、その開口に長手方向に隣接しないように収縮手段を配置させた使い捨ておむつも周知である（特許文献２参照）。これら使い捨ておむつは、表シートあるいはライナが、その下に横たわる吸収性パッドと離れるように持ち上がって着用者の外性器に密着するから、開口の奥に排泄物を導き入れることができる。
【特許文献１】特許第２５７２７４４号公報
【特許文献２】特許第２８８０１９１号公報
【発明の開示】
【発明が解決しようとする課題】
【０００３】
特許文献１に開示された使い捨ておむつは、開口が、表シートの後部に留まらず前部にまで及んでいるために、排便時に、着用者の肛門周辺だけでなく外性器までもが便で汚れてしまうという問題がある。また、特許文献２に開示された使い捨ておむつは、ライナの全面が持ち上がり、開口が設けられていない前部においてもライナが着用者の外性器に直接密着する。その結果、装着感が悪くなったり、外性器付近で肌がかぶれたり、一度に多量の尿が排出されたときに、使い捨ておむつが尿を収容しきれずに漏れが生じたりするという問題がある。
【０００４】
この発明は、上述のような課題に鑑みてなされたものであり、尿収容力を低下させることなく、また、装着感を損なうことなく、便で着用者の外性器が汚れることを防止することができる使い捨て着用物品を提供することを目的とする。
【課題を解決するための手段】
【０００５】
上記課題を解決するためのこの発明に係る使い捨て着用物品は、長さ方向，幅方向，前胴周域，後胴周域およびそれら胴周域間に介在する股下域を備える可撓性シャーシと、このシャーシの内面に配置された半剛性吸収体とを含む使い捨て着用物品において、シャーシが、最外層および最内層を有するとともに、最外層を構成するバックシートと、最内層を構成するライナとを含み、ライナが、幅方向における股下域のほぼ中央域で該方向へ延びる固定部で吸収体に固定されており、固定部より後胴周域寄りに形成された便を通過させることが可能な通路と、通路の周縁に沿って伸縮可能な状態で配置された第１弾性部材と、通路の幅方向の両側に配置されて通路の近傍で長さ方向に伸縮可能な一対の第２および第３弾性部材とを備え、前記第２および第３弾性部材のそれぞれは、前記通路の前記幅方向の外側において前記長さ方向に延びる直線部分と、前記通路の前端部分および後端部分の前記幅方向の外側において前記直線部分の前端部分および後端部分のそれぞれから前記通路に対して外方へ離間する態様で延びる延長部分とを有し、第２および第３弾性部材の直線部分が収縮した状態にあるとき、ライナが、固定部より後胴周域寄りにおいて吸収体から離れるように持ち上がるとともに、固定部に沿って立ち上がる障壁を形成することを特徴とする。
【０００６】
このように、ライナが固定部より後胴周域寄りにおいて吸収体から離れるように持ち上がることによって、通路が肛門に近接し、通路内に便を導くことができる。また、ライナが固定部に沿って立ち上がる障壁を形成することによって、着用時、障壁の頂部が着用者の会陰に当接してそこで便を堰き止め、その結果、便で着用者の外性器が汚れることを防止することができる。さらにまた、ライナが股下域に位置する固定部に沿って吸収体に固定されていることによって、着用時に、シャーシが、前胴周域においては着用者の身体に密着せず、その結果、着用者が不快感を覚えたり、着用者の肌がかぶれたりすることがなく、一度に多量の尿が排出されたときにも尿漏れを生じることがない。
【０００７】
便を通過させることが可能な限りにおいて、通路の形状および大きさは特に限定されない。例えば、通路は、長さ方向あるいは幅方向に設けられたスリットでもよく、ライナの一部が切り取られた開孔でもよい。通路の位置は、ライナが吸収体と離れるように持ち上がったときにそれが着用者の肛門の位置と一致し易いように適宜決定すればよいが、シャーシの幅方向におけるほぼ中央で股下域から後胴周域にかけて位置していることが好ましい。
【０００８】
ライナが、通路の周縁に沿って伸縮可能な状態で配置された第１弾性部材を備えていると、通路の周縁が補強されて通路の開口状態が維持され易くなる。また、第１弾性部材が着用者の動きに合わせて伸縮することによって、通路が常に着用者の肛門に向かって開いた状態に保たれる。第１弾性部材は、通路の全周を囲むように連続して配置されてもよく、断続的に配置されてもよい。
ライナが、通路の幅方向の両側に配置されて通路の近傍で長さ方向に伸縮可能な一対の第２および第３弾性部材を備えていると、第２および第３弾性部材が収縮したときに、ライナが吸収体から離れるように持ち上がり、それによって通路が肛門に接近する。その結果、便を通路内に導くことができる。それとともに、ライナが固定部に沿って立ち上がる障壁を形成し、その障壁の頂部が着用者の会陰に当接するので、万一、便が肌を伝って前方へ流れたとしても、便をそこで堰き止めることができる。
【０００９】
第２および第３弾性部材の前端および後端の位置は特に限定されるものではないが、それら弾性部材の後端が、少なくとも通路の長さ方向の中心よりも後方に位置していることが好ましく、通路の最後縁より後方に位置していることがより好ましい。それによって、通路全体を確実に着用者の肛門に接近させることができる。さらに、第２および第３弾性部材が、少なくとも通路の最前縁まで伸縮可能な状態で長さ方向前方へ延びていることが好ましく、第２および第３弾性部材が、少なくとも固定部まで伸縮可能な状態で長さ方向前方へ延びていることがより好ましい。それによって、立ち上がった障壁の頂部が際立って着用者の会陰により当接し易くなり、そこで便を効果的に堰き止めることができる。
第２および第３弾性部材が通路の側に凸となるように伸縮可能な状態で長さ方向に延びている場合には、第２および第３弾性部材が収縮することによって、幅方向の通路の開口幅が小さくなることを防止することができ、より確実に通路内に便を導くことができる。
前記ライナは、前記第２および第３弾性部材のそれぞれの延長部分の端部どうしを連結するように前記長さ方向に延びる第４および第５弾性部材を備えていてもよい。
【００１０】
ライナは、透液性を有していてもよく、液抵抗性を有していてもよいが、着用者の排尿口に面するシャーシのほぼ前半域においては透液性を有することが好ましく、着用者の肛門に面するシャーシのほぼ後半域においては液抵抗性を有することが好ましい。また、第１ライナの可撓性が第２ライナのそれよりも低いことがより好ましい。ライナは、シャーシのほぼ前半域に位置する第１ライナと、この第１ライナとは別体であって、シャーシのほぼ後半域に位置する第２ライナとから構成されていることが好ましい。それによって、上述のように前半域と後半域とでシャーシの性質を異ならせることが容易になる。
長さ方向に延びる一対のバリヤカフがシャーシの両側縁部に配置されていると、バリヤカフが排泄物に対する障壁となって好ましい。
【発明の効果】
【００１１】
この発明に係る使い捨て着用物品によれば、ライナに形成された通路が着用者の肛門に接近し、立ち上がった障壁の頂部が着用者の会陰に当接する。それによって、便を通路内へ導くことができるとともに、着用者の外性器が便で汚れることを防止することができる。さらに、固定部より前胴周域寄りにおいては、シャーシと着用者身体との間にゆとりの空間が保たれるから、装着感が良く、また、一度に多量の尿が排出されたときにも漏れを生じることがない。
【００１２】
この発明のその他の構成、材料などについては、実施の形態における記述がここに援用される。ただし、この発明は、実施の形態に限定されるものではない。
【発明を実施するための最良の形態】
【００１３】
この発明に係る使い捨て着用物品として使い捨ておむつを例にとり、この発明の実施形態について、図面を参照しながら以下に説明する。
【００１４】
（第一実施形態）
図１は、この発明の第一実施形態に係るオープン型の使い捨ておむつ１０の部分破断斜視図である。図２は、図１の２−２線断面図である。
使い捨ておむつ１０は、長さ方向および幅方向を有し、長さ方向の中心線２に関して対称であり、図１において長さ方向に湾曲している。使い捨ておむつ１０は、前胴周域１２，後胴周域１４およびそれら胴周域間１２，１４に介在する股下域１３を有する可撓性シャーシ１１と、このシャーシ１１の内面に配置された半剛性吸収体１６とを含む。
シャーシ１１は、長さ方向の中央部分がくびれた砂時計形であって、最内層１１ａおよび最外層１１ｂを有するとともに、最内層１１ａを構成するライナ１７と、最外層１１ｂを構成するバックシート１８とを含んでいる。
ライナ１７は、シャーシ１１のほぼ前半域に位置して１枚のシートからなる第１ライナ１７ａとシャーシ１１のほぼ後半域に位置して２枚のシートからなる第２ライナ１７ｂとからなる。ライナ１７は、外縁に沿ってバックシート１８と接合している。また、ライナ１７は、幅方向における股下域１３のほぼ中央域で該方向へ延びる固定部１９で吸収体１６に固定されている。なお、第２ライナ１７ｂは、固定部１９において、吸収体１６と直接接合していなくてもよく、第１ライナ１７ａを介して吸収体１６に固定されていてもよい。図２示されているように、本実施形態に係る使い捨ておむつ１０では、第１ライナ１７ａと第２ライナ１７ｂとが、股下域１３において第２ライナ１７ｂを上にして重なり合い、その重なり合った部分において互いに接合している。第１ライナ１７ａの可撓性は第２ライナ１７ｂよりも低いことが好ましい。
第１ライナ１７ａは、透液性を有し、公知の熱可塑性合成繊維不織布から形成される。第２ライナ１７ｂは液抵抗性と通気性とを有し、公知の熱可塑性合成繊維不織布から形成される。熱可塑性合成繊維としては、例えば、ポリオレフィン系，ポリエステル系，ポリアミド系などの合成樹脂から製造されているものが挙げられる。
バックシート１８は、公知の疎水性熱可塑性合成繊維不織布あるいは公知の液抵抗性熱可塑性プラスチックフィルムから形成されている。フィルムの材料としては、例えばポリオレフィン系プラスチックなどが挙げられるが、炭酸カルシウムや硫酸バリウム等の無機物微細粒子を含有する合成樹脂フィルムを一軸または二軸延伸して得られる透湿かつ不透液性のプラスチックフィルムがより好ましい。
【００１５】
吸収体１６は、フルッフパルプと、超吸水性ポリマー粒子と、場合によっては、熱可塑性合成繊維との混合圧縮物から形成され、それゆえ可撓性シャーシに比較して半剛性を有する。混合圧縮物は、適宜圧縮されていて、ティシューペーパ，不織布など液拡散性シート（図示せず）で被覆されていることが、その保形性，吸収性において好ましい。吸収体１６は、図１に示されているように矩形であってもよく、シャーシ１１と同様に、長さ方向の中央部分においてくびれた砂時計形であってもよい。図１に示されているように、本実施形態に係る使い捨ておむつ１０では、吸収体１６が全体にわたって同じ厚みを有している。しかし、吸収体１６は、後胴周域１４に位置する部分において、バックシート１８側に凹んだ肉薄部分を含んでいてもよく、一部分が切り取られていると、多くの便を収容することができてより好ましい。
【００１６】
前後胴周域１２，１４の前後両端縁１２ａ，１４ａにおいては、シャーシ１１の内面に、胴周り用弾性部材２０，２０が伸縮可能な状態で配置されている。股下域１３の両側縁部１３ａにおいては、シャーシ１１の内面に、脚周り用弾性部材２１，２１が伸縮可能な状態で配置されており、長さ方向に延びる一対のガスケットカフ１１ｃ，１１ｃが形成されている。ガスケットカフ１１ｃの上面にはバリヤカフ２２が配置されている。バリヤカフ２２は、バックシート１８の外側縁まで延びてこれと重なっている。バリヤカフ２２は、ガスケットカフ１１ｃを形成する基部２２ａと先端部２２bとを有し、先端部２２bが幅方向外側へ倒された状態で両端部２２ｃ，２２ｃがガスケットカフ１１ｃ，１１ｃに固定されている。バリヤカフ２２には、長さ方向に伸縮可能なカフ用弾性部材２３が取り付けられている。カフ用弾性部材２３が収縮することにより、バリヤカフ２２は、シャーシ１１の表面に対してほぼ垂直に立ち上がり、ガスケットカフ１１ｃとともに排泄物に対する障壁となる。バリヤカフ２２は、公知の液抵抗性熱可塑性合成繊維不織布から形成される。熱可塑性合成繊維としては、例えば、ポリオレフィン系，ポリエステル系，ポリアミド系などの合成樹脂から製造されているものが挙げられる。
【００１７】
後胴周域１４におけるシャーシ１１の両側縁１５ｂ，１５ｂには、前後胴周り域１２，１４を連結する手段である一対のテープファスナ２４，２４が取り付けられている。テープファスナ２４の基部は剥離することがないようにシャーシ１１に接合されている。テープファスナ２４の先端部には粘着剤が塗布されている。シャーシ１１の前胴周域１２にはテープファスナ２４が係合するターゲットテープ２５が取り付けられている（図２を参照）。なお、使い捨ておむつ１０は、前後胴周り域１２，１４の対向する側縁１５ａと側縁１５ｂとが予め接合されたパンツ（プルオン）型に形成されていてもよい。
【００１８】
ライナ１７は、固定部１９より後胴周域１４寄りに形成された便を通過させることが可能な通路２６と、通路２６の周縁に沿って伸縮可能な状態で配置された第１弾性部材２７と、通路２６の、幅方向の両側内面に配置されて通路２６の近傍で長さ方向に伸縮可能な一対の第２および第３弾性部材２８，２９とを備えている。第２および第３弾性部材２８，２９が収縮した状態にあるとき、ライナ１７は、固定部１９より後胴周域１４寄りにおいて吸収体１６から離れるように持ち上がるとともに、固定部１９に沿って立ち上がる障壁３０を形成する（図２を参照）。立ち上がった障壁３０の頂部３０ａは着用者の会陰に当接する。このような使い捨ておむつ１０は、ライナ１７に形成された通路２６が着用者の肛門に近接して便を通路２６内に導くことができる。万一、便が肌を伝って前方へ流れたとしても、障壁３０の頂部３０ａが着用者の会陰に当接しているから、そこで便が堰き止められて、着用者の外性器が便で汚れるということがない。
【００１９】
弾性部材が伸長していない状態にあるとき、通路２６の、最前縁２６ａから最後縁２６ｂまでの長さ方向における開口寸法Ｍａは、シャーシ１１の長さ方向の寸法Ｌのおよそ８〜４０％（寸法Ｌが４７５ｍｍであるときおよそ３８〜１９０ｍｍ）であることが好ましい。開口寸法Ｍａが寸法Ｌの８％より小さいと、便を通路２６内に導くことが難しくなる。開口寸法Ｍａが寸法Ｌの４０％より大きいと、通路２６が着用者の外性器に対向配置して、便が着用者の外性器に付着し易くなる。
同様に、弾性部材が伸長していない状態にあるとき、通路２６の、幅方向における通路の開口寸法Ｍｂは、およそ５〜７０ｍｍであることが好ましい。開口寸法Ｍｂが５ｍｍより小さいと、便を通路２６内に導くことが難しくなる。開口寸法Ｍｂが７０ｍｍより大きいと、通路２６内に収容された便が着用者の肌に付着し易くなり、着用者の外性器が便で汚れることを防止するという効果を感じ難くなってしまう。
通路２６の最前縁２６ａからシャーシ１１の前端縁１２ａまでの離間寸法Ｐ１は、寸法Ｌのおよそ３７〜５７％（寸法Ｌが４７５ｍｍであるときおよそ１８０〜２７０ｍｍ）であることが好ましい。離間寸法Ｐ１が寸法Ｌのおよそ３７％より小さいと、通路２６が着用者の外性器に対向配置して、便が着用者の外性器に付着し易くなる。離間寸法Ｐ１が寸法Ｌのおよそ５７％より大きいと、通路２６が着用者の肛門に対向配置し難くなり、便を通路２６内に導くことが難しくなる。
通路２６の最後縁２６ｂからシャーシ１１の後端縁１４ａまでの離間寸法Ｐ２は、寸法Ｌのおよそ１３〜３３％（寸法Ｌが４７５ｍｍであるときおよそ６０〜１５０ｍｍ）であることが好ましい。離間寸法Ｐ２が寸法Ｌのおよそ１３％より小さいと、通路２６の最後縁２６ｂが着用者の背面側に寄りすぎて、便が背面側に広がって漏れ易くなってしまう。離間寸法Ｐ２が寸法Ｌのおよそ３３％より大きいと、通路２６が着用者の肛門に対向配置し難くなり、便を通路２６内に導くことが難しくなる。
使い捨ておむつ１０がこのような通路２６を備えていることによって、着用者の外性器が便で汚れることをより確実に防止することができる。
【００２０】
固定部１９で、ライナ１７と吸収体１６とは公知のホットメルト接着剤３１により接合している（図２を参照）。固定部１９は、シャーシ１１の幅方向ほぼ中央に位置し、幅方向の寸法Ｎが通路２６の幅方向の開口寸法Ｍｂの７５％以上であることが好ましい。寸法Ｎが寸法Ｍｂの７５％より小さいと、障壁３０の幅寸法が小さくなり、障壁３０が障壁として機能し難くなる。ライナ１７が形成する障壁３０の高さ寸法となる固定部１９から通路２６の最前縁２６ａまでの離間寸法Ｐ３は、２０〜６０ｍｍであることが好ましい。離間寸法Ｐ３が２０ｍｍより小さいと、障壁３０が障壁として機能し難くなる。離間寸法Ｐ３が６０ｍｍより大きいと、障壁３０が着用者の肌に接触したときに、着用者が違和感を覚える虞がある。
【００２１】
第１弾性部材２７は、２枚のシートからなる第２ライナ１７ｂに包まれて、通路２６の全周縁に沿って連続して配置されている。
第２および第３弾性部材２８，２９は、第１弾性部材２７よりも側縁寄りで２枚のシートからなる第２ライナ１７ｂの間に挟まれて、通路２６の、最後縁２６ｂより後方の位置から最前縁２６ａまで伸縮可能な状態で長さ方向にほぼ並行に延びている。第２および第３弾性部材２８，２９は、幅方向において通路２６の周縁から５〜３０ｍｍ離れて位置していることが好ましく、また、通路２６の長さ方向の中心を通って幅方向に延びる線と交わるように位置していることが好ましい。第２および第３弾性部材２８，２９が幅方向において通路２６の周縁から３０ｍｍよりさらに離れて位置していると、第２および第３弾性部材２８，２９の応力が通路２６の周縁に伝わり難く、通路２６の開口状態を維持することが難しくなる。第２および第３弾性部材２８，２９の長さ方向の寸法Ｓは、通路２６の長さ方向における開口寸法Ｍａの５０〜１５０％であることが好ましい。寸法Ｓが開口寸法Ｍａの５０％より小さいと、ライナ１７が吸収体から離れるように持ち上がり難くなる。
第１，第２および３弾性部材２７，２８，２９としては、天然ゴム、合成ゴム、ウレタンフォームなど公知の材料からなる糸ゴムや平ゴムなどを適宜用いることができる。
【００２２】
本実施形態に係る使い捨ておむつは、通路の周縁に沿って配置された第１弾性部材によって、通路の周縁が補強されて通路の開口状態が保たれる。また、通路の幅方向両側に配置された一対の第２および第３弾性部材によって、通路を着用者の肛門に接近させることができる。さらに、第２および第３弾性部材が少なくとも通路の最前縁まで伸縮可能な状態で長さ方向前方へ延びていることによって、ライナが吸収体から離れるように持ち上がったときに、最前縁を含む通路全体が着用者の肛門に接近し、便を確実に通路内へ導くことができる。万一、便が肌を伝って前方へ流れることがあっても、ライナが形成する障壁の頂部が着用者の会陰に当接していて、そこで便を堰き止めるから、着用者の外性器が便で汚れることがない。またさらに、ライナが股下域に位置する固定部で吸収体と接合していることによって、固定部より前胴周域寄りの部分においてはシャーシが着用者の身体に密着しないから、着用者が不快感を覚えることがなく、一度に多量の尿が排出されても漏れを生じることがない。
【００２３】
（第二実施形態）
図３は、この発明の第二実施形態に係る使い捨ておむつの図１相当部分破断斜視図である。
この第二実施形態に係る使い捨ておむつにおいては、第一実施形態に係るそれと同じ主要な部材，部位にはそれぞれ同じ符号を付して、その説明を省略してある。
第二実施形態に係る使い捨ておむつが第一実施形態に係るそれと異なる点は、第２および第３弾性部材２８，２９が、通路２６の最前縁２６ａを越えて固定部１９まで長さ方向前方に延びている点である。
【００２４】
本実施形態に係る使い捨ておむつでは、第２および第３弾性部材の長さ寸法が長い分、ライナがより持ち上がり易くなるとともに、第２および第３弾性部材が固定部を越えて伸縮可能な状態で長さ方向に延びていることによって、第２および第３弾性部材が収縮したときに、ライナが形成する障壁の頂部が際立って、そこで便をより一層効果的に堰き止めることができる。
【００２５】
（第三実施形態）
図４は、この発明の第三実施形態に係るパンツ（プルオン）型の使い捨ておむつの斜視図である。図５は、図４に示された使い捨ておむつの部分破断斜視図である。図６は、シャーシの前後胴周り域を両側縁で切り離した状態にある図４に示された使い捨ておむつの部分破断展開平面図である。図７は、図６の７−７線断面図である。
この第三実施形態に係る使い捨ておむつにおいては、第一実施形態に係るそれと同じ主要な部材，部位にはそれぞれ同じ符号を付して、その説明を省略してある。
【００２６】
図４に示されているように、本実施形態に係る使い捨ておむつでは、前後胴周り域１２，１４の対向する側縁１５ａと側縁１５ｂとが、合掌状に重なり合い、断続的に接合している（図４を参照）。その結果、使い捨ておむつ１０は、胴周り開口３４と一対の脚周り開口３５，３５とを有している。胴周り開口３４を画成しているシャーシ１１の前後両端縁１２ａ，１４ａには、複数の胴周り用弾性部材２０が、胴周り開口３４の全周にわたって伸縮可能な状態で配置され、ホットメルト接着剤（図示せず）によってシャーシ１１の内側に固定されている。脚周り開口３５の上側半周を画成しているシャーシ１１の側縁１５ｃと側縁１５ｄとには、複数の脚周り用弾性部材２１が伸縮可能な状態で配置され、ホットメルト接着剤（図示せず）によってシャーシ１１の内側に固定されている。
【００２７】
前後胴周り域１２，１４におけるシャーシ１１の内側には、複数の胴周り用補助弾性部材３６が、幅方向に伸縮可能な状態で長さ方向に間隔をあけて配置されている。胴周り用補助弾性部材３６は、図４に示されているように、両側縁１５ａ，１５ｂの下端より両端縁１２ａ，１４ａ側（図４の上側）に位置していることが好ましい。胴周り用補助弾性部材３６としては、使い捨ておむつに慣用されている公知の材料からなる糸ゴムなどを用いることができる。
【００２８】
シャーシ１１の両側縁１３ａ，１３ａに沿って長さ方向に延びる一対のバリヤカフ２２，２２が配置されている。バリヤカフ２２は、基部２２ａと先端部２２ｂと両端部２２ｃ，２２ｃとを有する。基部２２ａは、吸収体１６の幅方向両側でホットメルト接着剤（図示せず）によりシャーシ１１に固定されている。両端部２２ｃ，２２ｃは、先端部２２ｂが幅方向内側へ倒された状態でホットメルト接着剤（図示せず）によりシャーシ１１に固定されている。バリヤカフ２２には、長さ方向に伸縮可能なカフ用弾性部材２３が取り付けられている。カフ用弾性部材２３が収縮することにより、バリヤカフ２２は、シャーシ１１の表面に対してほぼ垂直に立ち上がって排泄物に対する障壁となる。
【００２９】
本実施形態に係る使い捨ておむつ１０では、バックシート１８が、前後胴周域１２，１４の前後両端縁１２ａ，１４ａでシャーシ１１の内側へ折り返されている（図７を参照）。バックシート１８は、１枚あるいは複数枚の疎水性を有する熱可塑性合成繊維不織布から形成される。バックシート１８と吸収体１６との間には、液抵抗性の熱可塑性プラスチックフィルムからなる中間シート３８が介在している。中間シート３８は、吸収体１６とほぼ同じ大きさを有する。
固定部１９は、コア１６の幅方向の全幅にわたって設けられており、そこで第１ライナ１７ａと第２ライナ１７ｂとが接合している（図６および７を参照）。このような固定部１９を形成することによって、接合強度が向上する。
吸収体１６は、第２ライナ１７ｂに形成されている通路２６と対向する位置に、くり抜かれた孔を含んでいる。吸収体１６の孔とその周辺を、カバーシート３７が覆っている（図７を参照）。カバーシート３７は、吸収体１６の孔の内側でバックシート１８と密着していることが好ましい。このような使い捨ておむつ１０は、通路２６の奥に広がる内部空間の奥行きが長く、比較的長い便であっても収容することができる。カバーシート３７としては、ティシューペーパ，不織布などの公知の親水性シートを用いることができる。カバーシート３７に代わって、第１ライナ１７ａが固定部１９より後方へ延びて吸収体１６を覆っていてもよい。
【００３０】
第２ライナ１７ｂは、前端縁で第１ライナ１７ａと接合し、後端縁でカバーシート３７と接合し、両側縁でカバーシート３７と接合している。第２ライナ１７ｂは、少なくとも前後端縁において第１ライナ１７ａあるいはカバーシート３７と接合されていればよく、両側縁においては必ずしもカバーシート３７と接合していなくてもよい。第２ライナ１７ｂの前端縁は固定部１９に位置している。第２ライナ１７ｂの後端縁は、吸収体１６の後端縁とシャーシ１１の後端縁１４ａとの間に位置しているが、シャーシ１１の後端縁１４ａと一致していてもよいし、吸収体１６の後端縁よりも前側に位置していてもよい。第２ライナ１７ｂの後端縁が吸収体１６の後端縁よりも前側に位置している場合には、尿などの体液が、親水性カバーシート３７の、第２ライナ１７ｂに覆われていない部分を通じて吸収体１６に吸収されるから、体液がより効率的に吸収される。第２ライナ１７ｂの両側縁は、一対のバリヤカフ２２の基部２２ａよりも幅方向内側に位置している。第２ライナ１７ｂは、吸収体１６よりもやや小さい幅寸法を有し、カバーシート３７は、吸収体１６よりもやや大きい幅寸法を有する。つまり、第２ライナ１７ｂの幅寸法は、カバーシート３７のそれよりも小さい。このような本実施形態に係る使い捨ておむつ１０は、第２ライナ１７ｂが液抵抗性を有するシート材料から形成されていても、尿などの体液が、親水性カバーシート３７の、第２ライナ１７ｂに覆われていない部分を通じて吸収体１６に吸収され得るから、体液がより効率的に吸収される。
【００３１】
第１，第２および３弾性部材２７，２８，２９は、いずれも、シャーシ１１の、半剛性吸収体１６が介在している領域に位置している（図５を参照）。このような使い捨ておむつ１０では、シャーシ１１の前後胴周り域１２，１４における胴周り用補助弾性部材３６が着用者の動きに追従して伸縮を繰り返したとしても、半剛性の吸収体１６までもが縮むことはほとんどない。それゆえ、半剛性の吸収体１６が介在している領域に位置している第１，第２および３弾性部材２７，２８，２９がそれに追従して幅方向に伸縮するということはない。そのため、使い捨ておむつ１０の着用中、通路２６の幅方向における開口寸法Ｍｂはほぼ一定に保たれる。
【００３２】
図６に示されているように、一対の第２および第３弾性部材２８，２９は、通路２６の側に凸となるように伸縮可能な状態で長さ方向に延びている。このような形状の第２および第３弾性部材２８，２９を備えている使い捨ておむつ１０では、通路２６の開口周縁が第２および第３弾性部材２８，２９によって幅方向外方へ引張られるため、着用中に通路２６の幅方向の開口幅が狭まることがなく、より確実に便を通路２６内に導くことができる。図６において、第２および第３弾性部材２８，２９は固定部１９まで延びているが、固定部１９を越えてさらに長さ方向前方にまで延びていてもよい。このように第２および第３弾性部材２８，２９が少なくとも固定部１９まで伸縮可能な状態で長さ方向前方へ延びていることにより、立ち上がる障壁３０の頂部３０ａが際立って着用者の会陰により当接し易くなる。その結果、万一、便が肌を伝って前方へ流れたとしても、障壁３０で便を確実に堰き止めることができる。
第２および第３弾性部材２８，２９は、長さ方向にほぼ並行な中間の直線部分２８ａ，２９ａと、直線部分２８ａ，２９ａの両端からシャーシ１１を幅方向に横断するように延びるトラバース部分２８ｂ，２９ｂとを含んでいる。直線部分２８ａ，２９ａは、幅方向において通路２６の周縁から５〜３０ｍｍ離れて位置していることが好ましく、通路２６の長さ方向の中心を通って幅方向に延びる線と交わるように位置していることが好ましい。直線部分２８ａ，２９ａの長さ寸法は、通路の長さ方向の開口寸法Ｍａの５０〜１５０％であることが好ましい。
【００３３】
ライナ１７は、さらに、通路２６の幅方向の両側に配置された一対の第４および第５弾性部材３２，３３を備えている。第４および第５弾性部材３２，３３は、第２および第３弾性部材２８，２９よりも幅方向の側縁寄りで２枚のシートからなる第２ライナ１７ｂの間に挟まれて、伸縮可能な状態で長さ方向にほぼ並行に延びている。使い捨ておむつ１０がこのような第４および第５弾性部材３２，３３を備えていることによって、ライナ１７がより持ち上がり易くなるとともに幅方向における通路２６の位置が安定する。第４および第５弾性部材３２，３３は、幅方向において通路２６の周縁から１０〜４０ｍｍ離れて、通路２６の長さ方向の中心を通って幅方向に延びる線と交わるように位置していることが好ましい。第４および第５弾性部材３２，３３としては、第１，第２および３弾性部材２７，２８，２９と同様に、天然ゴム、合成ゴム、ウレタンフォームなど公知の材料からなる糸ゴムや平ゴムなどを用いることができる。
【００３４】
本実施形態に係る使い捨ておむつ１０は、前述のような胴周り用補助弾性部材３６を備えていることによって、着用者の胴周りに対するフィット性を向上させることができる。胴周り用補助弾性部材３６は、吸収体１６が介在しているシャーシ１１の幅方向の中央領域ではその弾性伸縮性を発現しないが、吸収体１６が介在していないシャーシ１１の両側域ではその弾性伸縮性を発現するものであることがより好ましい。シャーシ１１の幅方向の中央領域で胴周り用補助弾性部材３６の弾性伸縮性を発現させないようにする方法としては、例えば、中央領域において胴周り用補助弾性部材３６を切断する方法や中央領域においてのみ胴周り用補助弾性部材３６を加熱処理して可塑化するという方法のほか、図８に示されているように、中央領域には胴周り用補助弾性部材３６を配置しない方法などが挙げられる。また、中央領域における使い捨ておむつ１０の剛性を両側域におけるそれよりも高くするという方法によっても、中央領域において胴周り用補助弾性部材３６の弾性伸縮性を発現させないようにすることができる。このように、シャーシ１１の幅方向の中央領域で胴周り用補助弾性部材３６の弾性伸縮性が発現しないようにすることで、通路２６の幅方向における開口寸法Ｍｂがほぼ一定に保たれる。それによって、着用者が排泄時にどのような姿勢をとっても、使い捨ておむつ１０の通路２６の開口が着用者の肛門にフィットするので、便の収容率が高まって、漏れの可能性が低減する。
【図面の簡単な説明】
【００３５】
【図１】この発明の第一実施形態に係る使い捨ておむつを示す部分破断平面図である。
【図２】図１の２−２線断面図である。
【図３】この発明の第二実施形態に係る使い捨ておむつを示す図１相当部分破断平面図である。
【図４】この発明の第三実施形態に係る使い捨ておむつを示す斜視図である。
【図５】図４に示された使い捨ておむつの部分破断斜視図である。
【図６】シャーシの前後胴周り域を両側縁で切り離した状態にある図４に示された使い捨ておむつの部分破断展開平面図である。
【図７】図６の７−７線断面図である。
【図８】異なる態様の胴周り用補助弾性部材を示す図４相当斜視図である。
【符号の説明】
【００３６】
１０      使い捨ておむつ
１１      シャーシ
１１ａ    最内層
１１ｂ    最外層
１２      前胴周域
１３      股下域
１３ａ    両側縁部
１４      後胴周域
１６      吸収体
１７      ライナ
１７ａ    第１ライナ
１７ｂ    第２ライナ
１８      バックシート
１９      固定部
２２      バリヤカフ
２６      通路
２６ａ    最前縁
２７      第１弾性部材
２８      第２弾性部材
２９      第３弾性部材
３０      障壁
【図１】
0004766654.tif 000002
【図２】
0004766654.tif 000003
【図３】
0004766654.tif 000004
【図４】
0004766654.tif 000005
【図５】
0004766654.tif 000006
【図６】
0004766654.tif 000007
【図７】
0004766654.tif 000008
【図８】
0004766654.tif 000009